(57)【要約】      （修正有）【課題】伸長時は前軸部或は後軸部を捻って伸長し、縮小時は鉛芯先を上にして天冠を押し付けて縮小し、縮小状態でも鉛芯の繰り出しが可能な伸縮式シャープペンシルを提供する。【解決手段】前軸部１と該前軸部の後部内に摺動自在に嵌入して互いの端部位置まで伸縮自在の後軸部２とよりなり、前軸部は、スライドゴマ３を内設した口金４と口金を螺着した前軸本体５と、該前軸本体に内設した固定ガイド機構部と、この固定ガイド機構部の貫通孔に走行自在な鉛芯タンク８と鉛芯タンクの先端と口金の間に設けた鉛芯繰り出し機構９と、固定ガイド機構部の後端部に取り付けられ鉛芯繰り出し機構に連係する押し冠１０と、押し冠の後端に先端を揺動自在に枢着した押ピン１１とよりなり、後軸部は、前軸本体内にスライド自在に挿設した後軸本体１２と、後軸本体に内設したロック機構１３と、後軸本体の後端に固定し押ピンの揺動を規制する段差を有する天冠１６とよりなる。【選択図】図１
2011255545.tif 000002
【特許請求の範囲】
【請求項１】
前軸部と該前軸部の後部内に摺動自在に嵌入して互いの端部位置まで伸縮自在の後軸部とよりなり、前軸部は、一定距離をスライド自在のスライドゴマを内設した口金と口金を螺着した前軸本体と、該前軸本体に内設してある固定ガイド機構部と、この固定ガイド機構部の貫通孔に走行自在に挿入した鉛芯タンクと鉛芯タンクの先端と口金の間に設けた鉛芯繰り出し機構と、固定ガイド機構部の後端部に取り付けられ鉛芯繰り出し機構に連係する押し冠と、押し冠の後端に先端を揺動自在に枢着した押ピンとよりなり、
後軸部は、前軸本体内にスライド自在に挿設した後軸本体と、後軸本体に内設したロック機構と、後軸本体の後端に固定し前記押ピンの揺動を規制する段差を有する空間を設けた天冠とよりなり、
スライドゴマは、口金の先端内部にスライド自在に挿設されていて貫通している中心孔に鉛芯が走行自在となっており、
固定ガイド機構部は、前軸本体内に固定する固定リング部と細いパイプ部とよりなっていて、中心に貫通孔が設けてあると共にパイプ部の後端に一部がパイプ部の表面に突出させたロックピンを設けてあり、
鉛芯繰り出し機構は、鉛芯タンクにより後方に押すスプリングを介して設けた鉛芯ガイド、クラッチ、チャックよりなっていて前記スライドゴマに連係して鉛芯のスライドゴマからの繰り出しを自在とし、
押し冠は、その先端部分における挿入部がパイプ部に前後動自在に挿入されていて、その先端部が鉛芯タンクの後端に押当して連係してあり、挿入部の中間に嵌遊孔が設けてあって前記ロックピンが前後動自在に貫遊しており、後端には押ピンの一端が軸支されていて押ピンの自由端側は揺動自在となっており、全体がロック筒内の後半部を前後動自在となっており、
ロック機構は、後軸本体の先端に固定され前記パイプ部と後軸本体との間にスライド自在に挿設されたロック筒と、該ロック筒の先端と固定リング部との間に設けたスプリングと、ロック筒の後端部内壁に周設し前記押ピンの自由端が掛止する第１段差と、ロック筒の先端から後部軸線方向に設けた直線溝と、この直線溝の終端部に軸線からずれた位置地に傾斜する傾斜誘導面と掛止凹面とを有する三角形状の誘導穴と、この直線溝、誘導穴には前記ロックピンが侵入し走行自在となっており、
天冠の空間の途中に設けた第２段差は、縮小時で全体を横にしたときに押しピンが倒れて掛止自在とした伸縮式シャープペン。
【発明の詳細な説明】
【技術分野】
【０００１】
本発明は伸縮式のシャープペンに関する。
【背景技術】
【０００２】
従来のシャープペンは、不使用時には鉛芯先のみを口金より突出している鉛芯口金内に押し込むようになっており、使用時にノック式にて鉛芯先を鉛芯口金より繰り出し、全体の長さも一定のものが一般的であり、又伸縮式のシャープペン（特許第３７０４１３３号）では使用時に前軸部と後軸部を持って引っ張り操作をして伸長させ、不使用時には鉛芯を引っ込ませた後、前軸部、後軸部を持って縮小させるものである。
【０００３】
然しながら前者にあっては、不使用時には縮小状態で携帯するものが望まれており、まして鉛芯の出口は細い口心金となっているのでポケットなどに収納するときはポケット底などを破損する恐れがあるなど、より縮小状態のできるシャープペンがのぞまれており、又後者の伸縮式のシャープペンにあっては前軸部と後軸部を持って引っ張り操作や縮小操作が行われるが、片手のふさがっている時には操作が困難となる難点があると共に、縮小状態では筆記作業ができないなどの難点がある。
【発明の開示】
【発明が解決しようとする課題】
【０００４】
そこで本発明は、スプリング式として伸長操作では片手で前軸部或は後軸部を少し捻って伸長させ、縮小状態にするときは鉛芯先を上にして天冠を机などの上に押し付けるのみで縮小自在とし（勿論両手で持って縮小させてもよい。）、しかもこの縮小状態においても鉛芯の繰り出しを自在として筆記作業できるようにしようとするものである。
【課題を解決するための手段】
【０００５】
前軸部と該前軸部の後部内に摺動自在に嵌入して互いの端部位置まで伸縮自在の後軸部とよりなり、前軸部は、一定距離をスライド自在のスライドゴマを内設した口金と口金を螺着した前軸本体と、該前軸本体に内設してある固定ガイド機構部と、この固定ガイド機構部の貫通孔に走行自在に挿入した鉛芯タンクと鉛芯タンクの先端と口金の間に設けた鉛芯繰り出し機構と、固定ガイド機構部の後端部に取り付けられ鉛芯繰り出し機構に連係する押し冠と、押し冠の後端に先端を揺動自在に枢着した押ピンとよりなり、
後軸部は、前軸本体内にスライド自在に挿設した後軸本体と、後軸本体に内設したロック機構と、後軸本体の後端に固定し前記押ピンの揺動を規制する段差を有する空間を設けた天冠とよりなり、
スライドゴマは、口金の先端内部にスライド自在に挿設されていて貫通している中心孔に鉛芯が走行自在となっており、
固定ガイド機構部は、前軸本体内に固定する固定リング部と細いパイプ部とよりなっていて、中心に貫通孔が設けてあると共にパイプ部の後端に一部がパイプ部の表面に突出させたロックピンを設けてあり、
鉛芯繰り出し機構は、鉛芯タンクにより後方に押すスプリングを介して設けた鉛芯ガイド、クラッチ、チャックよりなっていて前記スライドゴマに連係して鉛芯のスライドゴマからの繰り出しを自在とし、
押し冠は、その先端部分における挿入部がパイプ部に前後動自在に挿入されていて、その先端部が鉛芯タンクの後端に押当して連係してあり、挿入部の中間に嵌遊孔が設けてあって前記ロックピンが前後動自在に貫遊しており、後端には押ピンの一端が軸支されていて押ピンの自由端側は揺動自在となっており、全体がロック筒内の後半部を前後動自在となっており、
ロック機構は、後軸本体の先端に固定され前記パイプ部と後軸本体との間にスライド自在に挿設されたロック筒と、該ロック筒の先端と固定リング部との間に設けたスプリングと、ロック筒の後端部内壁に周設し前記押ピンの自由端が掛止する第１段差と、ロック筒の先端から後部軸線方向に設けた直線溝と、この直線溝の終端部に軸線からずれた位置地に傾斜する傾斜誘導面と掛止凹面とを有する三角形状の誘導穴と、この直線溝、誘導穴には前記ロックピンが侵入し走行自在となっており、
天冠の空間の途中に設けた第２段差は、縮小時で全体を横にしたときに押しピンが倒れて掛止自在となっており、この状態で天冠を押圧することにより、この押圧力が押ピン、押し冠、鉛芯タンク、鉛芯繰り出し機構と伝動自在となっている。
【発明の効果】
【０００６】
本発明の効果として、スプリング式として伸長操作では片手で前軸部或は後軸部を少し捻っただけで瞬時に伸長させて筆記作業ができ、縮小状態にするときは天冠を机などの上に押し付けるのみで縮小でき、しかもこの縮小状態においても鉛芯の繰り出しが自在で筆記作業ができる。
【図面の簡単な説明】
【０００７】
【図１】本発明に係る伸縮式シャープペンの伸長時の断面説明図である。
【図２】同縮小作業途中時の断面説明図である。
【図３】同縮小時の断面説明図である。
【図４】前軸部と後軸部を除いた内部機構を示した伸長時の分解説明図である。
【図５】同縮小時の分解説明図である。
【図６】図４の状態における内部機構の断面説明図である。
【図７】図５の状態における内部機構の断面説明図である。
【図８】押し冠の斜視説明図である。
【実施例】
【０００８】
前軸部１と、該前軸部１の後部内に摺動自在に嵌入して互いの端部位置まで伸縮自在の後軸部２とよりなり、前軸部１は、一定距離をスライド自在のスライドゴマ３を内設した口金４と、口金４を螺着した前軸本体５と、該前軸本体５に内設してある固定ガイド機構部６と、この固定ガイド機構部６の貫通孔７に走行自在に挿入した鉛芯タンク８と、鉛芯タンク８の先端と口金４の間に設けた鉛芯繰り出し機構９と、固定ガイド機構部６の後端部に取り付けられ鉛芯繰り出し機構９に連係する押し冠１０と、押し冠１０の後端に先端を揺動自在に枢着した押ピン１１とよりなっている。
【０００９】
後軸部２は、前軸本体５内にスライド自在に挿設した後軸本体１２と、後軸本体１２に内設したロック機構１３と、後軸本体１２の後端に固定し前記押ピン１１の揺動を規制する段差１４を有する空間１５を設けた天冠１６とよりなっている。
【００１０】
スライドゴマ３は、口金４の先端内部にスライド自在に挿設されていて貫通している中心孔に鉛芯１７が貫通自在となっている。
【００１１】
固定ガイド機構部６は、前軸本体５内に固定する固定リング部１８と細いパイプ部１９とよりなっていて、中心に貫通孔２０が設けてあると共にパイプ部１９の後端に一部がパイプ部１９の表面に突出させたロックピン２１を横方向に設けている。
【００１２】
鉛芯繰り出し機構９は、鉛芯タンク８により後方に押す第１スプリング２２を介して設けた鉛芯ガイド２３、クラッチ２４、チャック２５よりなっていて前記スライドゴマ３に連係して鉛芯１７のスライドゴマ３からの繰り出しを自在としてある。
【００１３】
押し冠１０は、その先端部分における挿入部２６がパイプ部１９に前後動自在に挿入されていて、その先端部が鉛芯タンク８の後端に押当して連係してあり、挿入部２６の中間に嵌遊孔２７が設けてあって前記ロックピン２１が前後動自在に貫遊しており、後端には押ピン１１の一端が軸支１１’されていて押ピン１１の自由端側は揺動自在となっており、この押し冠１０の全体がロック筒２８内の後半部を前後動自在となっている。
【００１４】
ロック機構１３は、後軸本体１２の先端に固定され前記パイプ部１９と後軸本体１２との間にスライド自在に挿設されたロック筒２８と、該ロック筒２８の先端と固定リング部１８との間に設けた第２スプリング２９と、ロック筒２８の後端部内壁に周設し前記押ピン１１の自由端が掛止する第１段差３６と、ロック筒２８の先端から後部軸線方向に設けた直線溝３０と、この直線溝３０の終端部には軸線からずれた位置に傾斜する傾斜誘導面３１と掛止凹面３２とを有する三角形状の誘導穴３３とを設けてあり、この直線溝３０、誘導穴３３には前記ロックピン２１の突出部分が侵入し走行自在となっており、ロックピン２１は傾斜誘導面３１に沿って移動し掛止凹面３２に停止する。掛止凹面３２０直線溝３０の連続境界面は鋭角状に突出していて確実にロックピン２１が掛止凹面３２に停止するようにしてある。
【００１５】
天冠１６の空間１５の途中に設けた第２段差１４には、縮小時で全体を傾斜したときに押しピン１１の自由端が倒れて掛止自在となっており、この掛止した状態で天冠１６を押圧することにより、この押圧力が押ピン１１、押し冠１０、鉛芯タンク８、鉛芯繰り出し機構９と伝動し、鉛芯１７が繰り出される。
【００１６】
図中３４は前軸本体５と後軸本体１２の継手、３５は後軸本体の後端部に設けたクリップ、３７は鉛芯繰り出し機構部９の軸継手、２５は保持リングである。
【作用】
【００１７】
以下その作用を説明する。図１は筆記状態に伸ばした縦断面図であるが、この状態では第２スプリング２９によってロック筒２８、後軸本体が押されて後方に伸長しているとともに、押しピン１１とロック筒２８と第１段差３６が掛止していて不用意に縮小することなく、天冠１６を指先で押し、その押圧力が第１段差３６、押しピン１１、押し冠１０、鉛芯タンク８、鉛芯繰り出し機構９と伝動し、鉛芯１７をスライドゴマ３の先端より繰り出し筆記作業をする。
【００１８】
この伸長状態から縮小状態にするには、天冠１６を下にして押ピン１１と第２段差１４との掛止を解き、天冠１６を机などの天板などに押しつける等して後軸本体１２を前軸本体５方向に移動することによって、ロックピン２１が直線溝３０に沿って誘導穴３３方向に移動して誘導穴３３の傾斜誘導面３１の頂部に移動し、天冠１６或は後軸本体１２の押圧を解くことにより第２スプリング２９によってロック筒２８は少し後方に移動し、ロックピン２１は掛止凹面３２に停止してスライドゴマ３、鉛芯１７先は口金４に隠蔽され、第３図の収納状態になる。全体が少し傾斜することによって第３図のように押ピン１１の自由端は第２段差１４と掛止し、この状態で天冠１６の押圧を繰り返すことによって押圧力が第２段差１４、押ピン１１、押し冠１０、鉛芯タンク８、芯繰り出し機構９、スライドゴマ３と伝わり鉛芯１７を繰り出し筆記作業ができる。縮小状態から前軸部１或は後軸部２を捻じれは、ロックピン２１が第２スプリング２９に抗して移動し、誘導穴３３の掛止凹面３２との掛止が解けて図１の伸長状態となる。
【符号の説明】
【００１９】
１：前軸部
２：後軸部
３：スライドゴマ
４：口金
５：前軸本体
６：固定ガイド機構
７：貫通孔
８：鉛芯タンク
９：鉛芯繰り出し機構
１０：押し冠
１１：押ピン
１２：後軸本体
１３：ロック機構
１４：第２段差
１５：空間
１６：天冠
１７：鉛芯
１８：固定リング部
１９：パイプ部
２０：貫通孔
２１：ロックピン
２２：第１スプリング
２３：鉛芯ガイド
２４：クラッチ
２５：チャック
２６：挿入部
２７：嵌遊孔
２８：ロック筒
２９：第２スプリング
３０：直線溝
３１：傾斜誘導面
３２：掛止凹面
３３：誘導穴
３４：継手
３５：クリップ
３６：第１段差
３７：軸継手
【図１】
2011255545.tif 000003
【図２】
2011255545.tif 000004
【図３】
2011255545.tif 000005
【図４】
2011255545.tif 000006
【図５】
2011255545.tif 000007
【図６】
2011255545.tif 000008
【図７】
2011255545.tif 000009
【図８】
2011255545.tif 000010